(57)【要約】【課題】  被施療者の体型にあわせて座部から脚載部までの距離を円滑且つ容易に変更することができ、しかも着座状態にある被施療者は脚載部のスライド操作のために姿勢を変えたりする必要がなく、操作性に優れた脚載部付きのマッサージ椅子を提供すること。【解決手段】  脚載部５を水平姿勢で座部２に対して前後方向Ａにスライド可能に保持するためのスライド機構４２と、脚載部５を任意の位置にスライドさせて座部２との距離を調節するスライド調整レバー７とを備えたマッサージ椅子である。スライド調整レバー７を座部２の外側面であって肘掛け４よりも内側寄りに配設した。【選択図】        図１
2006204763.tif 000002
【特許請求の範囲】
【請求項１】
被施療者が着座する座部と、座部の後方に起倒自在に設けられた背もたれと、着座状態にある被施療者が腕を置くための肘掛けと、着座状態にある被施療者が脚部の脹脛部分から足裏部分までを保持させる脚載部とを備えたマッサージ椅子において、上記脚載部を水平姿勢で座部に対して前後方向にスライド可能に保持するためのスライド機構と、脚載部を任意の位置にスライドさせて座部との距離を調節するスライド調整レバーとを備え、スライド調整レバーを座部の外側面であって肘掛けよりも内側寄りに配設したことを特徴とするマッサージ椅子。
【請求項２】
着座状態にある被施療者が上記スライド調整レバーを座部に対して後方に引っ張ることで、脚載部のスライド調節を可能としたことを特徴とする請求項１記載のマッサージ椅子。
【請求項３】
上記スライド調整レバーを柔軟性材料で形成したことを特徴とする請求項１又は請求項２記載のマッサージ椅子。
【請求項４】
上記座部と肘掛けとの間に大腿部施療用のエアバッグを配設すると共に、スライド調整レバーをエアバッグの外側面であって肘掛けよりも内側寄りに配設し、該エアバッグの外側面に、スライド調整レバーをガイドするレバーガイドを縫合したことを特徴とする請求項３記載のマッサージ椅子。
【請求項５】
上記レバーガイドが剛体で形成されていることを特徴とする請求項４記載のマッサージ椅子。
【発明の詳細な説明】
【技術分野】
【０００１】
本発明は、マッサージ椅子に関し、詳しくは脚載部を備えて脹脛や足裏を施療可能としたマッサージ椅子に関するものである。
【背景技術】
【０００２】
従来から、被施療者が着座する座部と、着座状態にある被施療者の下腿部のマッサージを行うための脚載部とを具備したマッサージ椅子が知られている。これらマッサージ椅子の脚載部は、該脚載部に形成してある凹溝内に被施療者の脹脛を嵌め込み、この脹脛に対してエアバッグ等の施療手段によりマッサージを施す構造になっているが、足裏に対してはマッサージを施すことができないという問題があった。そこで、上記問題を解決するために、被施療者の脹脛を保持する脹脛保持部と、被施療者の足裏を保持する足裏保持部とから成る脚載部を有するマッサージ椅子が提案されており（特許文献１参照）、これにより更に効果的な脚部マッサージが可能になっている。
【０００３】
しかし、上記脚載部を有するマッサージ椅子においては、被施療者の体型が様々であることから以下の問題が存在していた。即ち、例えば被施療者が膝下の短い体型であった場合には、着座状態にある被施療者の足裏が脚載部の足裏保持部にまで届かず、足裏にマッサージを施すことができないという問題や、被施療者が膝下の長い体型であった場合には、足裏保持部に足裏を保持させた着座姿勢が非常に窮屈になるとともに、脚載部をその先端側が上方に持ち上がるように回動させた場合には被施療者の膝関節周辺が圧迫等されて痛みを感じたり、また腱を傷める危険性があるという問題があった。
【０００４】
そこで本発明者らは、本発明に至る過程で、脚載部を水平姿勢で座部に対して前後方向にスライド可能に保持するためのスライド機構と、脚載部を任意の位置にスライドさせて座部との距離を調節するスライド調整レバーとを備えたマッサージ椅子を考えた。ところが、スライド調整レバーを、従来の操作レバーのように座部の前方下側、或いは、座部の後方、或いは、肘掛けの外側面に配置した場合、例えば背もたれを倒して脚載部のスライド位置を調節する場合などにあっては、被施療者の手がスライド調整レバーに届かず、スライド調整レバーの操作がしづらくなる。このためスライド調整レバーの操作時に、被施療者が腰を持ち上げたり、肘掛けを乗り越えたりするなど、姿勢を変えなければならないという問題があり、特に高齢者や身体障害者、或いは腰痛やリュウマチ等の人にとって負担が大きいという問題がある。
【特許文献１】特開平１０−２９５７５８号公報
【発明の開示】
【発明が解決しようとする課題】
【０００５】
本発明は上記の従来の問題点に鑑みて発明したものであって、被施療者の体型にあわせて座部から脚載部までの距離を円滑且つ容易に変更することができ、しかも着座状態にある被施療者は脚載部のスライド操作のために姿勢を変えたりする必要がなく、操作性に優れた脚載部付きのマッサージ椅子を提供することを課題とするものである。
【課題を解決するための手段】
【０００６】
前記課題を解決するために本発明は、被施療者が着座する座部２と、座部２の後方に起倒自在に設けられた背もたれ３と、着座状態にある被施療者が腕を置くための肘掛け４と、着座状態にある被施療者が脚部の脹脛部分から足裏部分までを保持させる脚載部５とを備えたマッサージ椅子において、上記脚載部５を水平姿勢で座部２に対して前後方向Ａにスライド可能に保持するためのスライド機構４２と、脚載部５を任意の位置にスライドさせて座部２との距離を調節するスライド調整レバー７とを備え、スライド調整レバー７を座部２の外側面であって肘掛け４よりも内側寄りに配設したことを特徴としている。
【０００７】
このような構成とすることで、スライド機構４２により脚載部５を座部２に対して前後にスライドさせて座部２から脚載部５までの距離を変更することが可能となるので、被施療者の様々な体型に対応できる。即ち、被施療者の体型にあわせて座部２から脚載部５までの距離を円滑且つ容易に変更することができ、脹脛部分から足裏にかけて効果的なマッサージを施すことができる。しかもスライド調整レバー７を座部２の外側面であって肘掛け４よりも内側寄りに配設したので、脚載部５或いは背もたれ３がどのような状態であっても、着座状態にある被施療者の手がスライド調整レバー７に届くようになるので、スライド調整レバー７の操作が容易に行なえるようになる。つまり、スライド調整レバー７の操作時に、被施療者が腰を持ち上げたり、肘掛け４を乗り越えたりするなど、姿勢を変えなければならないという問題がなくなる。
【０００８】
また、着座状態にある被施療者が上記スライド調整レバー７を座部２に対して後方Ａ１に引っ張ることで、脚載部５のスライド調節を可能とするのが好ましく、この場合、例えば背もたれ３を後方Ａ１に倒して被施療者が背もたれ３にもたれ掛かった姿勢であっても、スライド調整レバー７を手前に引っ張りながら脚を楽に伸ばして脚載部５のスライド位置の調節を楽に行なうことができる。
【０００９】
また、上記スライド調整レバー７を柔軟性材料で形成するのが好ましく、この場合、スライド調整レバー７が被施療者の大腿部にあたっても、施療感が損なわれることがない。
【００１０】
また、上記座部２と肘掛け４との間に大腿部施療用のエアバッグ６を配設すると共に、スライド調整レバー７をエアバッグ６の外側面であって肘掛け４よりも内側寄りに配設し、該エアバッグ６の外側面に、スライド調整レバー７をガイドするレバーガイド６０を縫合するのが好ましく、この場合、エアバッグ６の膨縮により着座状態にある被施療者の大腿部を挟圧するなどしてマッサージを行なえると共に、スライド調整レバー７によってエアバッグ６の施療感が損なわれることがない。そのうえ、スライド調整レバー７の操作をエアバッグ６の外側面に縫合したレバーガイド６０によってスムーズに行なうことができる。
【００１１】
また、上記レバーガイド６０が剛体で形成されているのが好ましく、この場合、レバーガイド６０に対するスライド調整レバー７の摺動性が良くなり、一層操作性が向上する。
【発明の効果】
【００１２】
本発明は、脚載部を水平姿勢で座部に対して前後方向にスライド可能に保持するためのスライド機構と、脚載部を任意の位置にスライドさせて座部との距離を調節するスライド調整レバーとを備え、スライド調整レバーを座部の外側面であって肘掛けよりも内側寄りに配設したので、被施療者の体型にあわせて座部から脚載部までの距離を円滑且つ容易に変更することができると共に、着座状態にある被施療者は脚載部のスライド操作のために姿勢を変えたりする必要がなく、操作性に優れた脚載部付きマッサージ椅子を提供することができる。
【発明を実施するための最良の形態】
【００１３】
以下、本発明を添付図面に示す実施形態に基いて説明する。
【００１４】
本実施形態のマッサージ椅子は、図１に示すように、被施療者が着座する座部２と、着座状態にある被施療者が背中をもたれ掛けるために座部２の後方Ａ１に起倒自在に設けられた背もたれ３と、着座状態にある被施療者が腕を置くための肘掛け４と、着座状態にある被施療者が脚部の膝下部分（即ち脹脛部分から足首・足裏部分まで）を保持させる脚載部５と、脚載部５を水平姿勢で座部２に対して前後方向Ａにスライド可能とするスライド機構４２と、脚載部５を任意の位置にスライドさせて座部２との距離を調節するスライド調整レバー７とで主体が構成されている。
【００１５】
本例では、背もたれ３には、被施療者に施療を施すたろの揉み玉のような施療機構が上下移動可能に設けられている。また座部２の左右方向Ｃの外側面には、それぞれ、大腿部施療用のエアバッグ６が配置されている。また、脚載部５を上下方向Ｂに回動させる駆動源（図示せず）として、モータやエアーシリンダを用いたり、或いは、背もたれ３のリクライニングと連動させて脚載部５を上下方向Ｂに回動させる構成であってもよく、駆動源の構造は、例えば特開２００２−２３８９６３号公報などにより公知となっている技術を採用することができるので、詳細な説明は省略する。
【００１６】
なお、本文中に用いる上下、左右、前後の各方向は、座部２に着座状態にある被施療者側から見た方向を基準とする。
【００１７】
本例の脚載部５は、図１〜図４に示すように、被施療者の脚部の脹脛部分を当ててこれを保持させる脹脛保持部５ａと、被施療者の脚部の足裏部分を当ててこれを保持させる足裏保持部５ｂとを一体に形成したものである。脚載部５には、被施療者の脚部の膝下部分全体が嵌まり込む左右一対の凹溝４１を形成しており、脚部の足先方向に伸びる凹溝４１の基端側及び正面側を開放させて被施療者の脚部を該開放部分から出入自在に設けている。ここで、本例においては凹溝４１の先端側に形成される部分が、被施療者の足裏及び足先、足首部分が嵌まり込む足裏保持部５ｂの溝部分であり、足裏保持部５ｂの該溝部分の内壁に配してあるエアバッグ等の施療手段（図示せず）を駆動することで足裏や足先、足首部分に対してマッサージを施すようになっている。そして、凹溝４１であって上記足裏保持部５ｂの溝部分よりも基端側の部分が、被施療者の脹脛部分が嵌まり込む脹脛保持部５ａの溝部分であり、脹脛保持部５ａの溝部分内壁に配してあるエアバッグ等の施療手段（図示せず）を駆動することで脹脛部分に対してマッサージを施すようになっている。なお、上記した凹溝４１の基端側とは、該凹溝４１の長手方向両端のうち座部２に近い側のことであり、凹溝４１の先端側とは該凹溝４１の長手方向両端のうち座部２から離れた側のことであり、また凹溝４１の正面側とは脚載部５の先端を下方に向けた場合に前方を向く側のことである。
【００１８】
上記脚載部５は、スライド機構４２を介して座部２にスライド可能に保持されている。スライド機構４２は、図５に示すように、両凹溝４１の底壁部分を保持するベースパイプ９と、ベースパイプ９から立設されて各凹溝４１の左右の側壁部分を保持する補強パイプ４３及び補強板４４と、ベースパイプ９から立設されて各凹溝４１の先端側の側壁部分（即ち、足裏保持部５ｂにおいて足裏が当る部分）を保持する足裏保持部材１１とで全体の枠組を形成し、この枠組上にカバー（図示せず）を被嵌させることで主体を成している。本例においては上記足裏保持部材１１に板金を用いることで、薄型でありながら被施療者の足裏部分から受ける荷重に耐えるだけの強度を保持させているので、座部２の座面高さの制約がある中で足裏保持部５ｂを薄型に形成して脹脛保持部５ａの長さ領域を確保することが可能になっている。
【００１９】
また図５に示すように、脚載部５の左右方向Ｃの中央部分には、ベースパイプ９と足裏保持部材１１との間に架け渡すように、脚部の足先方向に（即ち、凹溝４１の長手方向に）伸びるスライド部材１２を固定している。上記スライド部材１２は後述の連結支持部４６に固定されるスライド支持部材１３と脚部の足先方向（以下、これを前後方向Ａという）にスライド自在に嵌合することでスライド機構４２を形成するものである。また、脚載部５には、上記スライド部材１２と平行に即ち前後方向Ａに伸び、且つ多数のロック穴４０を前後方向Ａに列設して成るスライド位置固定部材１９を固定しており、後述の連結支持部４６に固定されるスライド量調節部材１８のロックピン２１を該ロック穴４０に嵌合可能に設けることでロック機構４７を形成している。更に、脚載部５の左右両端部には、断面コ字状を成す一対の傾倒防止部材４８を互いの開口側が向い合うように固定しており、この傾倒防止部材４８が後述の連結支持部４６のサイドパイプ１５を囲んで位置することで、傾倒防止機構４９を形成している。
【００２０】
上記連結支持部４６は、座部２の前方位置にてマッサージ椅子本体１に上下方向Ｂ（図２）に回動自在に支持されるとともに脚載部５を前後方向Ａ（図１）に進退自在に連結させるものであり、該連結支持部４６を介することで、脚載部５はマッサージ椅子本体１に回動自在且つスライド自在に連結される構造になっている。上記連結支持部４６は、左右方向Ｃに伸びるパイプ１７と、パイプ１７の左右両端に固定されており且つその一端側にヒンジ部１０を開口させている支持板５０と、パイプ１７の左右両側から前後方向Ａに伸びるように延設される一対のサイドパイプ１５と、左右両側のサイドパイプ１５の間に架け渡すように固定される前後一対の連結板１４とで主体を成すものである。
【００２１】
前後方向Ａに列設される一対の連結板１４のうち前側の連結板１４には、その左右方向Ｃの中央部分に、前後方向Ａに伸びる嵌合溝５１を有する樹脂製のスライド支持部材１３を固定しており、このスライド支持部材１３の嵌合溝５１に対してスライド部材１２の凸状を成す底部がスライド自在に嵌合することで、連結支持部４６に対して脚載部５を前後方向Ａに進退自在に連結させるスライド機構４２を形成している。
【００２２】
更に、連結支持部４６の左右両端部に並設される一対のサイドパイプ１５と、各サイドパイプ１５を囲むように脚載部５の左右両端部に固定される一対の傾倒防止部材４８とで、脚載部５が連結支持部４６に対して所定の許容量を超えて傾倒することを防止する傾倒防止機構４９を形成している。傾倒防止部材４８は、サイドパイプ１５との間に所定距離を保持するように該サイドパイプ１５の外形よりも若干大きく形成し、通常はサイドパイプ１５と接触しないように設けている。
【００２３】
連結支持部４６と脚載部５との間には、脚載部５を座部２と接近する方向に付勢するための付勢手段５２として、左右一対のコイル状の引張ばね１６を介在させている。この引張ばね１６は、連結支持部４６の基端側に位置するパイプ１７と、脚載部５の先端側に位置する足裏保持部材１１との間に架設されるものであり、スライド機構４２を挟む左右両側の対称な位置に同一のものが配置されることで、左右のバランスを保って脚載部５の円滑なスライドを確保している。
【００２４】
上記連結支持部４６は、その基端側の左右両端に設けてある支持板５０のヒンジ部１０に、マッサージ椅子本体１の座部２の前方位置に設けた左右方向Ｃに伸びる回転軸（図示せず）を回動自在に嵌合させることで、先端側を下げて座部２の座面と略直行するような垂直姿勢と、先端側を持ち上げて座部２の座面と略平行になるような水平姿勢との間で、回転軸を中心として上下方向Ｂに回動自在に連結されるものである。連結支持部４６の姿勢を制御するための機構は特に図示していないが、モータやエアで駆動されるリンク等の伸縮自在な支持手段を用いることが好適である。
【００２５】
更に上記連結板１４には、ワイヤー２０（図６）を用いた遠隔操作によりロックピン２１を突没自在に備えたスライド量調節部材１８を固定しており、スライド位置固定部材１９に前後方向Ａに列設してある複数のロック穴４０のいずれか一つに突出状態にある上記ロックピン２１が嵌合するように設けることで、複数段階に設定されるスライド量の中から選択した任意のスライド量で脚載部５を固定させるロック機構４７を形成している。
【００２６】
本例のロック機構４７は、図６に示すように、上記連結板１４に固定されるスライド量調節部材１８と、上記スライド支持部材１３に固定されるスライド位置固定部材１９と、ワイヤー２０に連結されるロックピン２１とを備える。スライド量調節部材１８は、底片１８ａの左右両端から両側壁１８ｂ，１８ｃが立設された断面コ字状に形成され、左側壁１８ｃの凹所１８ｅにアウターワイヤー２０ａの先端部７０が嵌合保持されていると共に、インナーワイヤー２０ｂの先端部に設けたロックピン２１が右側壁１８ｂの貫通穴１８ｄを貫通してスライド位置固定部材１９のいずれかのロック穴４０に抜き差し自在に嵌合している。ロックピン戻しバネ２２の一端がロックピン２１のフランジ２１ａに支持され、他端がスライド量調節部材１８の左側壁１８ｃに支持され、このロックピン戻しバネ２２は圧縮コイルバネからなり、ロックピン２１はロック穴４０に差し込まれる方向（図６（ｂ）の矢印Ｍ）に向かってバネ付勢されている。
【００２７】
上記ワイヤー２０の基端側は、図７に示すスライド調整レバー７に連結されている。図７に示す例では、前記アウターワイヤー２０ａの基端部が椅子フレーム２４の前壁２４ｂに設けた嵌合部２４ａに嵌合され、インナーワイヤー２０ｂの基端部がスライド調整レバー７の下部に固定した係止金具５５に対して係止されている。スライド調整レバー７の下端には、椅子フレーム２４に対して図７のＬで示す水平軸回りに回動可能な回転中心部８が設けられている。一方、スライド調整レバー７の中間部は、前方に向かって略Ｌ字状に屈曲しており、その先端から上方に向けて手で操作されるレバーグリップ２５が取り付けられており、レバーグリップ２５は回転中心部８を回転中心として後方Ａ１又は前方Ａ２に向けて回動操作できるようになっている。
【００２８】
さらに上記係止金具５５と回転中心部８との間にはレバー戻しバネ２７の一端が支持され、レバー戻しバネ２７の他端は椅子フレーム２４の前壁２４ｂに支持されている。レバー戻しバネ２７は引っ張りコイルバネからなり、スライド調整レバー７を前方Ａ２に向かってバネ付勢している。このレバー戻しバネ２７のバネ付勢方向（Ａ２）は、上記ロックピン戻しバネ２２のバネ付勢方向（図６（ｂ）の矢印Ｍ）と一致している。つまり、スライド調整レバー７を後方Ａ１に引っ張り操作すると、ロックピン２１がロックピン戻しバネ２２のバネ力に抗して図６（ｂ）の矢印Ｎ方向に引っ張られてロック穴４０から抜けるようになり、その後、スライド調整レバー７の引っ張り操作を止めると、スライド調整レバー７はレバー戻しバネ２７によって前方Ａ２に戻されると同時に、ロックピン２１はロックピン戻しバネ２２によって図６（ｂ）の矢印Ｍ方向に押されてロック穴４０に差し込まれるようになっている。
【００２９】
ここで本発明においては、上記スライド調整レバー７は、座部２の外側面であって肘掛け４よりも内側寄りに配設してある。本例では、図１〜図４のように、座部２と肘掛け４との間に、左右一対の大腿部施療用のエアバッグ６を配設してあり、スライド調整レバー７は、エアバッグ６の外側面であって肘掛け４よりも内側寄りに配設してある。エアバッグ６は膨縮により着座状態にある被施療者の大腿部を挟圧してマッサージを行なうものであり、図示しないエア給排気口から空気が給排気された際に膨張、収縮可能となる中空体形状に形成されている。なお、エアバッグ６には図示省略したエアポンプから耐圧ホースを介して空気が送られると共に、電磁弁の開閉制御によってエアバッグ６を膨張・収縮させるようになっており、膨張により被施療者の大腿部が狭圧され、収縮により挟圧が解除されることで、大腿部に対してエアマッサージが施されるようになっている。
【００３０】
次に、上記マッサージ椅子の使用の一例を説明する。被施療者が座部２に着座した状態で、脚部の脹脛部分から足首・足裏部分を脚載部５の凹溝内に入れた状態とする。この状態で脚載部５を上方に回動させて水平姿勢とし、スライド調整レバー７を手前（座部２に対して後方Ａ１）に引張るとワイヤー２０が引っ張られて、ロックピン２１がスライド位置固定部材１９のロック穴４０から抜かれて、脚載部５が座部２に対して前後方向Ａにスライド自在となり、これにより脚載部５と座部２との距離を調節できるようになる。このとき引張ばね１６からなる付勢手段５２の働きによって、被施療者は付勢手段５２の付勢力に抗して足裏保持部５ｂを押し込むか、或いは付勢手段５２の付勢力を利用して足裏保持部５ｂを引き下げるかにより脚載部５を容易にスライドさせることができ、被施療者の足裏部分に足裏保持部材１１をぴったり合わせることができる。その後、スライド調整レバー７を引くのをやめると、ロックピン戻しバネ２２によってロックピン２１が自動的にスライド位置固定部材１９の１つのロック穴４０に差し込まれて、脚載部５はロック状態となる。この状態で、被施療者は脚部の脹脛から、足首・足裏部分に対してマッサージを施すことができる。
【００３１】
しかして、脚載部５を前後方向Ａにスライド調節することで、被施療者の様々な体型に対応できる。即ち、例えば被施療者が膝下の短い体型の場合は、脚載部５を後方Ａ１にスライドさせ、膝下の長い体型の場合は、脚載部５を前方にスライドさせることで、足裏を足裏保持部にフィットさせることができる。つまり、被施療者の体型にあわせて座部２から足裏保持部までの距離を円滑且つ容易に変更することができるようになるので、従来のように足裏保持部に足裏を保持させた着座姿勢が非常に窮屈になったり、被施療者の膝関節周辺が圧迫されて痛みを感じたり、また腱を傷める危険性があるという問題もなくなり、脹脛部分から足裏にかけて効果的なマッサージを施すことができるものである。
【００３２】
しかも、スライド調整レバー７をエアバッグ６の外側面であって肘掛け４よりも内側寄りに配設したので、脚載部５、背もたれ３、エアバッグ６等がどのような状態であっても、着座状態にある被施療者の手の位置がスライド調整レバー７に届くようになるので、スライド調整レバー７の操作が容易に行なえるようになる。特に背もたれ３を倒して脚載部５のスライド位置を調節する場合でも、スライド調整レバー７の操作が楽に行なえるようになる。また施療途中でスライド調整レバー７により脚載部５をスライドさせて座部２から足裏保持部５ｂまでの距離を変更することが可能である。従って、被施療者はレバー操作のために姿勢を変える必要がなくなり、使い勝手が大幅に向上する。特に高齢者や身体障害者、或いは腰痛やリュウマチ等の人にとって楽に使用できるものとなる。
【００３３】
また本例では、スライド調整レバー７の操作方向を後方Ａ１としたので、仮りに背もたれ３を後方Ａ１に倒して被施療者が背もたれ３にもたれ掛かった姿勢であっても、スライド調整レバー７を手前に引っ張りながら脚を楽に伸ばして脚載部５のスライド位置の調節を楽に行なうことができる。ちなみに、スライド調整レバー７の操作方向が前方である場合、被施療者が背もたれ３にもたれ掛かった姿勢で、スライド調整レバー７を前方Ａ２に押す必要があり、体の固い人や高齢者、身体障害者にとって苦痛を伴うものとなる。
【００３４】
また、スライド調整レバー７はエアバッグ６の外側面に沿って配置されるので、スライド調整レバー７が被施療者に直接当たることがなく、施療感を損なうことがなくなる。
【００３５】
さらに本例では、上記引張ばね１６からなる付勢手段５２を左右に複数配したので、スライド時に脚載部５の左右のバランスが良好に保持されるとともに、付勢手段５２一つ当りの負荷が小さくて済むので、各付勢手段５２を薄型に形成して座部２と脚載部５と間の機構をコンパクト化できる利点もある。
【００３６】
図８、図９は、スライド調整レバー７の他例を示している。本例では図８に示すように、スライド調整レバー７を柔軟性レバー７ａと、椅子フレーム２４に対して回動自在に取り付けられる回動部材２８とで構成している。柔軟性レバー７ａは柔軟性のある紐などの素材で構成され、図９に示すように、柔軟性レバー７ａの上端部は、肘掛け４とエアバッグ６との間に配置されたレバーグリップ２９に連結されている。レバーグリップ２９は、柔軟性レバー７ａの上端部が係止される係止部２９ａと、指が入る開口部２９ｂとを備えている。また回動部材２８は図８のＬで示す水平軸回りに回動可能な回転中心部８ａが設けられており、回転中心部８ａを回転中心として上下に回動自在となっている。回動部材２８の前端側にはインナーワイヤー２０ｂが連結され、回動部材２８の後端側には柔軟性レバー７ａの下端部が固定されている。なお柔軟性レバー７ａを後方Ａ１に引っ張って脚載部５をスライド調節する点は前記実施形態と同様である。
【００３７】
しかして、スライド調整レバー７を柔軟性レバー７ａで構成したので、柔軟性レバー７ａによって施療感が損なわれることがなくなる。また、エアバッグ６で施療を行なうことで、人体に与える刺激が広範囲で且つほぼ均一の強さになり、安全且つ効果的にマッサージを行うことができ、使用者の満足度と安心感とを高めることができる。なお左右のエアバッグ６を単独で膨縮動作させるようにしてもよい。この場合、大腿部に対してより効果的なマッサージを行うことが可能となる。さらに大腿部用施療部の専用スイッチを設け、同専用スイッチによってのみエアバッグ６を作動できるようにしてもよい。この場合、使用者の認識のないまま不意に大腿部のマッサージが始まってしまい、不安感を与えるという問題がなくなる。
【００３８】
なお、エアバッグ６は省略可能である。この場合においても、スライド調整レバー７を柔軟性レバー７ａで構成することで柔軟性レバー７ａが被施療者の大腿部にあたって施療感を損なうようなことがないものでる。
【００３９】
図１０及び図１１は、上記エアバッグ６の外側面に、柔軟性レバー７ａをガイドする筒状のレバーガイド６０を縫合した場合の一例を示している。本例では、エアバッグ６は、座部２と一体となった縫製品８０で包まれており、エアバッグ６の膨張、収縮に合わせて縫製品８０が自在に変形できるようにしている。なお柔軟性レバー７ａを後方Ａ１に引っ張って脚載部５をスライド調節する点は前記実施形態と同様である。しかして、エアバッグ６を縫製品８０中に収納することで、エアバッグ６の位置ずれ、傷付き等を防止できる。さらに図１０（ｂ）のように、縫製品８０の外側面に柔軟性レバー７ａを通すための布製のレバーガイド６０を縫い付けてあるので、柔軟性レバー７ａの操作を布製のレバーガイド６０によってスムーズに行なうことができるようになる。つまり、エアバッグ６が柔軟性レバー７ａの操作の妨げとならず、柔軟性レバー７ａの操作性が良好に保たれるようになる。
【００４０】
さらに他の例として、上記筒状のレバーガイドを図１１に示すように、外力により変形しない剛体で形成してもよい。ここでは布製縫い付け部６１の内側に、樹脂製で潤滑性の良い剛体レバーガイド６０を挿入し、このレバーガイド６０の内側に柔軟性レバー７ａを挿入している。この場合、エアバッグ６に空気が加圧された後においても、剛性のレバーガイド６０で囲まれた柔軟性レバー７ａがエアバッグ６の圧力で抵抗を受けることがなくなり、従って、柔軟性レバー７ａをスムーズに操作できるようになる。とくに、樹脂製で潤滑性の良い剛性のレバーガイド６０を用いて柔軟性レバー７ａをガイドするので、柔軟性レバー７ａの摺動性が一層良くなる利点もある。
【００４１】
なお、前記実施形態ではスライド調整レバー７を後方Ａ１に引っ張ると脚載部５のロックが解除される場合を例に挙げているが、勿論これに限らず、例えば上方或いは前方に引っ張ると脚載部５のロックが解除される構造とすることも可能である。
【図面の簡単な説明】
【００４２】
【図１】本発明の一実施形態のマッサージ椅子においてその脚載部の使用状態を示す斜視図である。
【図２】同上の脚載部の収納状態を示す斜視図である。
【図３】図２の平面図である。
【図４】（ａ）は図２の正面図、（ｂ）は側面図である。
【図５】（ａ）（ｂ）は同上のスライド機構の動作説明図である。
【図６】（ａ）（ｂ）は同上のロック機構の斜視図及び断面図である。
【図７】同上のスライド調整レバーとワイヤーの連結状態の一例の斜視図である。
【図８】同上のスライド調整レバーとワイヤーの連結状態の他例の斜視図である。
【図９】（ａ）は本発明の他の実施形態の斜視図、（ｂ）は（ａ）のスライド調整レバーの斜視図である。
【図１０】（ａ）は本発明の更に他の実施形態の斜視図、（ｂ）はレバーガイドを上方から見た図である。
【図１１】本発明の更に他の実施形態を示し、（ａ）はレバーガイドを上方から見た図、（ｂ）は斜視図である。
【符号の説明】
【００４３】
１  マッサージ椅子本体
２  座部
３  背もたれ
４  肘掛け
５  脚載部
６  大腿部施療用エアバッグ
７  スライド調整レバー
４２  スライド機構
６０  レバーガイド
Ａ  前後方向
Ａ１  後方
【図１】
2006204763.tif 000003
【図２】
2006204763.tif 000004
【図３】
2006204763.tif 000005
【図４】
2006204763.tif 000006
【図５】
2006204763.tif 000007
【図６】
2006204763.tif 000008
【図７】
2006204763.tif 000009
【図８】
2006204763.tif 000010
【図９】
2006204763.tif 000011
【図１０】
2006204763.tif 000012
【図１１】
2006204763.tif 000013